(57)【特許請求の範囲】
【請求項１】
異なる通信網に接続する複数の接続装置と、前記接続装置と通信可能な通信装置と、少なくとも前記通信装置の通信に関する管理を行う管理装置を有する通信システムにおいて、
前記通信装置は、
操作部への入力に基づいて、前記通信装置の通信に要求する通信品質を複数記憶する記憶手段と、
前記記憶手段に記憶されている各通信品質の優先度に基づいて、通信品質を選択する選択手段と、
前記選択手段により選択した通信品質を満たす通信を行える接続装置の検索を前記管理装置に要求する第１の要求手段と、
前記第１の要求手段による要求に従って前記管理装置から送られてきた接続装置リストから接続装置を選択し、該接続装置に前記選択手段により選択した通信品質の通信のための通信資源の確保を要求する第２の要求手段と、を有し、
前記選択手段は、前記第２の要求手段による要求が前記接続装置リストの全接続装置から拒否されると、前記記憶手段に記憶されている通信品質のうち、前記選択手段により先に選択した通信品質の次の優先度の通信品質を選択し、
前記第１及び第２の要求手段は前記要求を前記選択しなおした通信品質により再度行い、
前記管理装置は、
前記第１の要求手段による要求に従って、前記通信品質を満たす通信を行える接続装置を検索する検索手段と、
前記検索手段による検索結果に基づいて、前記通信品質を満たす通信を行える接続装置の識別情報のリストを前記接続装置リストとして前記通信装置に通知する通知手段と、
を有することを特徴とする通信システム。
【請求項２】
異なる通信網に接続する複数の接続装置と、前記接続装置と通信可能な通信装置と、少なくとも前記通信装置の通信に関する管理を行う管理装置を有する通信システムにおける制御方法において、
前記通信装置は、
操作部への入力に基づいて、前記通信装置の通信に要求する通信品質を複数記憶し、
該記憶している各通信品質の優先度に基づいて、通信品質を選択し、
該選択した通信品質を満たす通信を行える接続装置の検索を前記管理装置に要求し、
該要求に従って前記管理装置から送られてきた接続装置リストから接続装置を選択し、該接続装置に前記選択した通信品質の通信のための通信資源の確保を要求し、
前記通信資源の確保が前記接続装置リストの全接続装置から拒否されると、前記記憶している通信品質のうち、先に選択した通信品質の次の優先度の通信品質を選択し、
該選択した通信品質を満たす通信を行える接続装置の検索を前記管理装置に再度要求し、
該要求に従って前記管理装置から送られてきた接続装置リストから接続装置を選択し、該接続装置に前記選択した通信品質の通信のための通信資源の確保を要求し、
前記管理装置は、
前記通信装置からの接続装置の検索要求に従って、前記通信装置から要求される前記通信品質を満たす通信を行える接続装置を検索し、
該検索結果に基づいて、前記通信品質を満たす通信を行える接続装置の識別情報のリストを前記接続装置リストとして前記通信装置に通知することを特徴とする制御方法。
【請求項３】
前記通信品質は、複数のパラメータを含むことを特徴とする請求項２に記載の制御方法。
【請求項４】
前記通信品質は、通信に要求される平均ビットレート、最高ビットレート、平均遅延時間、最大遅延時間、パケット損失率、通信コストの上限の少なくとも１つを含むことを特徴とする請求項２に記載の制御方法。
【請求項５】
前記複数の通信網は、ローカルエリアネットワーク、公衆回線網、インターネットの少なくとも１つを含むことを特徴とする請求項２乃至請求項４の何れか１項に記載の制御方法。
【請求項６】
前記通信装置は、前記接続装置が確保した通信資源を用いて前記接続装置を介して通信することを特徴とする請求項２乃至請求項５のいずれか１項に記載の制御方法。
【請求項７】
異なる通信網に接続する複数の接続装置と、前記接続装置と通信可能な通信装置と、少なくとも前記通信装置の通信に関する管理を行う管理装置を有する通信システムの前記通信装置において、
操作部への入力に基づいて、前記通信装置の通信に要求する通信品質を複数記憶する記憶手段と、
前記記憶手段に記憶されている各通信品質の優先度に基づいて、通信品質を選択する選択手段と、
前記選択手段により選択した通信品質を満たす通信を行える接続装置の検索を前記管理装置に要求する第１の要求手段と、
前記第１の要求手段による要求に従って前記管理装置から送られてきた接続装置リストから接続装置を選択し、該接続装置に前記選択手段により選択した通信品質の通信のための通信資源の確保を要求する第２の要求手段と、を有し、
前記選択手段は、前記第２の要求手段による要求が前記接続装置リストの全接続装置から拒否されると、前記記憶手段に記憶されている通信品質のうち、前記選択手段により先に選択した通信品質の次の優先度の通信品質を選択し、
前記第１及び第２の要求手段は前記要求を前記選択しなおした通信品質により再度行うことを特徴とする通信装置。
【請求項８】
前記接続装置により確保された通信資源を用いて前記接続装置を介して通信する通信手段を有することを特徴とする請求項７に記載の通信装置。
【請求項９】
前記通信品質は、複数のパラメータを含み、前記記憶手段は前記複数のパラメータを含む複数の通信品質を記憶することを特徴とする請求項７又は請求項８に記載の通信装置。
【請求項１０】
前記通信品質は、通信に要求される平均ビットレート、最高ビットレート、平均遅延時間、最大遅延時間、パケット損失率、通信コストの上限の少なくとも１つを含むことを特徴とする請求項７又は請求項８に記載の通信装置。
【請求項１１】
前記複数の通信網は、ローカルエリアネットワーク、公衆回線網、インターネットの少なくとも１つを含むことを特徴とする請求項７乃至請求項１０の何れか１項に記載の通信装置。
【請求項１２】
異なる通信網に接続する複数の接続装置と、前記接続装置と通信可能な通信装置と、少なくとも前記通信装置の通信に関する管理を行う管理装置を有する通信システムの前記通信装置の制御方法において、
前記通信装置は、
操作部への入力に基づいて、前記通信装置の通信に要求する通信品質を複数記憶し、
該記憶している各通信品質の優先度に基づいて、通信品質を選択し、
該選択した通信品質を満たす通信を行える接続装置の検索を前記管理装置に要求し、
該要求に従って前記管理装置から送られてきた接続装置リストから接続装置を選択し、該接続装置に前記選択した通信品質の通信のための通信資源の確保を要求し、
前記通信資源の確保が前記接続装置リストの全接続装置から拒否されると、前記記憶している通信品質のうち、先に選択した通信品質の次の優先度の通信品質を選択し、
該選択した通信品質を満たす通信を行える接続装置の検索を前記管理装置に再度要求し、
該要求に従って前記管理装置から送られてきた接続装置リストから接続装置を選択し、該接続装置に前記選択した通信品質の通信のための通信資源の確保を要求することを特徴とする制御方法。
【発明の詳細な説明】
【０００１】
【発明の属する技術分野】
本発明は、通信システム及びその制御方法に関するものである。
【０００２】
【従来の技術】
従来、通信網に接続され通信を行なうシステムは、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＰＳＰＤＮ（Ｐａｃｋｅｔ  Ｓｗｉｔｃｈｉｎｇ  Ｐｕｂｌｉｃ  Ｄａｔａ  Ｎｅｔｗｏｒｋ）、Ｉｎｔｅｒｎｅｔ等様々な通信網の中から、システムが取り扱うデータの種別等により必要とされる伝送品質要求に応じて通信網を予め選択し、通信を行なうように構成されている。
【０００３】
例えば電話、テレビ会議のような低遅延を要求されるシステムはＰＳＴＮ、ＩＳＤＮに接続され、データ転送、電子メールのような遅延が許容されるシステムではＰＳＰＤＮやＩｎｔｅｒｎｅｔに接続される。
【０００４】
【発明が解決しようとする課題】
しかしながら、例えば、ＴＣＰ／ＩＰに関連するプロトコルにより、ＰＳＴＮ、ＩＳＤＮ、Ｉｎｔｅｒｎｅｔ等様々な網において、接続する通信網に合わせた符号化／圧縮方式を採用し音声／画像通信を行なうシステムを構成するような場合、上記従来技術では、接続する網を予め固定的に設定しなければならないため、例えば、長距離通信はＩｎｔｅｒｎｅｔを介して、短距離通信はＩＳＤＮを介して行ないたい場合など、通信のたびに通信端末の設定を手入力により変更しなければならなかった。また、短距離通信であってもＩＳＤＮ回線がビジーであるためＰＳＴＮ回線で発信したい場合や、Ｉｎｔｅｒｎｅｔ上のトラヒックが混雑し遅延時間等に於いて通信に十分な品質が得られずＩＳＤＮ回線でダイレクトに通信したい場合等も接続やデータ設定をオペレータがいちいち変更しなければならず煩わしいという欠点があった。
【０００５】
また、より一般的に、ＡＴＭ網に代表される、要求する通信品質を満足させるリソース確保が可能である網へ接続するようなシステムでは、要求する通信品質が絵られるリソースが確保できない場合、品質要求を落として通信可能なものとそうではないもの、品質要求を落とす場合も遅延、損失、帯域等数多い品質項目のどの項目からどのように落とすかといった通信品質要求の変更には柔軟に対応できないという欠点があった。
【０００６】
そこで本出願に係る発明の目的は、システムによる通信品質要求を網の状態に応じて適切に変更可能な通信システムを提供することにある。
【０００７】
また、通信品質の変更をする場合も自動的に行うことができるようにすることを目的とする。
【０００８】
また、通信品質に優先順位を付けることができるようにすることを目的とする。
【０００９】
【課題を解決するための手段】
本発明は、上記目的を達成するために、異なる通信網に接続する複数の接続装置と、前記接続装置と通信可能な通信装置と、少なくとも前記通信装置の通信に関する管理を行う管理装置を有する通信システムにおいて、前記通信装置は、操作部への入力に基づいて、前記通信装置の通信に要求する通信品質を複数記憶する記憶手段と、前記記憶手段に記憶されている各通信品質の優先度に基づいて、通信品質を選択する選択手段と、前記選択手段により選択した通信品質を満たす通信を行える接続装置の検索を前記管理装置に要求する第１の要求手段と、前記第１の要求手段による要求に従って前記管理装置から送られてきた接続装置リストから接続装置を選択し、該接続装置に前記選択手段により選択した通信品質の通信のための通信資源の確保を要求する第２の要求手段と、を有し、前記選択手段は、前記第２の要求手段による要求が前記接続装置リストの全接続装置から拒否されると、前記記憶手段に記憶されている通信品質のうち、前記選択手段により先に選択した通信品質の次の優先度の通信品質を選択し、前記第１及び第２の要求手段は前記要求を前記選択しなおした通信品質により再度行い、前記管理装置は、前記第１の要求手段による要求に従って、前記通信品質を満たす通信を行える接続装置を検索する検索手段と、前記検索手段による検索結果に基づいて、前記通信品質を満たす通信を行える接続装置の識別情報のリストを前記接続装置リストとして前記通信装置に通知する通知手段と、を有することを特徴とする通信システムを提供する。
【００１０】
また、異なる通信網に接続する複数の接続装置と、前記接続装置と通信可能な通信装置と、少なくとも前記通信装置の通信に関する管理を行う管理装置を有する通信システムにおける制御方法において、前記通信装置は、操作部への入力に基づいて、前記通信装置の通信に要求する通信品質を複数記憶し、該記憶している各通信品質の優先度に基づいて、通信品質を選択し、該選択した通信品質を満たす通信を行える接続装置の検索を前記管理装置に要求し、該要求に従って前記管理装置から送られてきた接続装置リストから接続装置を選択し、該接続装置に前記選択した通信品質の通信のための通信資源の確保を要求し、前記通信資源の確保が前記接続装置リストの全接続装置から拒否されると、前記記憶している通信品質のうち、先に選択した通信品質の次の優先度の通信品質を選択し、該選択した通信品質を満たす通信を行える接続装置の検索を前記管理装置に再度要求し、該要求に従って前記管理装置から送られてきた接続装置リストから接続装置を選択し、該接続装置に前記選択した通信品質の通信のための通信資源の確保を要求し、前記管理装置は、前記通信装置からの接続装置の検索要求に従って、前記通信装置から要求される前記通信品質を満たす通信を行える接続装置を検索し、該検索結果に基づいて、前記通信品質を満たす通信を行える接続装置の識別情報のリストを前記接続装置リストとして前記通信装置に通知することを特徴とする制御方法を提供する。
【００１１】
また、異なる通信網に接続する複数の接続装置と、前記接続装置と通信可能な通信装置と、少なくとも前記通信装置の通信に関する管理を行う管理装置を有する通信システムの前記通信装置において、操作部への入力に基づいて、前記通信装置の通信に要求する通信品質を複数記憶する記憶手段と、前記記憶手段に記憶されている各通信品質の優先度に基づいて、通信品質を選択する選択手段と、前記選択手段により選択した通信品質を満たす通信を行える接続装置の検索を前記管理装置に要求する第１の要求手段と、前記第１の要求手段による要求に従って前記管理装置から送られてきた接続装置リストから接続装置を選択し、該接続装置に前記選択手段により選択した通信品質の通信のための通信資源の確保を要求する第２の要求手段と、を有し、前記選択手段は、前記第２の要求手段による要求が前記接続装置リストの全接続装置から拒否されると、前記記憶手段に記憶されている通信品質のうち、前記選択手段により先に選択した通信品質の次の優先度の通信品質を選択し、前記第１及び第２の要求手段は前記要求を前記選択しなおした通信品質により再度行うことを特徴とする通信装置を提供する。
【００１２】
また、異なる通信網に接続する複数の接続装置と、前記接続装置と通信可能な通信装置と、少なくとも前記通信装置の通信に関する管理を行う管理装置を有する通信システムの前記通信装置の制御方法において、前記通信装置は、操作部への入力に基づいて、前記通信装置の通信に要求する通信品質を複数記憶し、該記憶している各通信品質の優先度に基づいて、通信品質を選択し、該選択した通信品質を満たす通信を行える接続装置の検索を前記管理装置に要求し、該要求に従って前記管理装置から送られてきた接続装置リストから接続装置を選択し、該接続装置に前記選択した通信品質の通信のための通信資源の確保を要求し、前記通信資源の確保が前記接続装置リストの全接続装置から拒否されると、前記記憶している通信品質のうち、先に選択した通信品質の次の優先度の通信品質を選択し、該選択した通信品質を満たす通信を行える接続装置の検索を前記管理装置に再度要求し、該要求に従って前記管理装置から送られてきた接続装置リストから接続装置を選択し、該接続装置に前記選択した通信品質の通信のための通信資源の確保を要求することを特徴とする制御方法を提供する。
【００１９】
【発明の実施の形態】
（実施例１）
図１は本発明の第１の実施例である所の通信システムであり、ＬＡＮ、Ｉｎｔｅｒｎｅｔ等ＴＣＰ／ＩＰ上での音声通信とＰＳＴＮ等公衆網での電話通信を接続し通話可能とする電話システムのブロック図である。図１に於いて、１０１はＩｎｔｅｒｎｅｔ、１０２はＩｎｔｅｒｎｅｔ接続事業者であるＩｎｔｅｒｎｅｔサービスプロバイダ、１１３−２は、ＰＳＴＮ１０３とＩｎｔｅｒｎｅｔサービスプロバイダ１０２内のＬＡＮとに接続され、ＰＳＴＮ１０３への接続制御機能、ＰＳＴＮ１０３の電話音声とＴＣＰ／ＩＰ上での音声データと変換機能を備えるＰＳＴＮ−ＬＡＮ電話接続装置、１０３は一般的なアナログ電話網であるＰＳＴＮ、１１４は、ＩＥＥＥ８０２．３等のＬＡＮ１１５へ接続された機器によりＴＣＰ／ＩＰ等のプロトコル上で音声通話を行なうよう構成された電話システム（以後ＬＡＮ電話システムと呼ぶ）であり、１２０−ｉは一般的にＰＳＴＮ１０３へ接続される電話端末である一般電話端末である。ＬＡＮ電話システム１１４は、ＬＡＮ１１５とＩｎｔｅｒｎｅｔ１０１とを専用線などを介して接続すると共に、ルーティング機能、セキュリティ機能、代理機能等を備えるＩｎｔｅｒｎｅｔ接続装置１１２、１１３−２と同様な機能を備えるＰＳＴＮ−ＬＡＮ電話接続装置１１３−１、ＬＡＮ１１５へ接続されると共にマイク、スピーカ、ハンドセットなどの音声入出力装置、ユーザインタフェースを備え、ユーザからの指示によりＬＡＮ電話接続制御を行ない、また通話中の音声データの転送処理も行なうＬＡＮ電話端末１１１−ｉ、ＰＳＴＮ−ＬＡＮ電話接続装置１１３等の各種接続装置、ＬＡＮ電話端末１１１の管理を行なうＬＡＮ電話サーバ１１０から構成される。
【００２０】
図２はＬＡＮ電話サーバ１１０のブロック図である。２０５はＩＥＥＥ８０２．３等に準拠したＬＡＮ制御部、２０４はハードディスク等の固定記憶装置、２０２はＣＲＴディスプレイ等の表示部、２０３はキーボード、マウス等のキー入力部、２０１はＣＰＵ、ＲＯＭ、ＲＡＭ等から構成され、各種制御を司る主制御部である。
【００２１】
尚、主制御部２０１のＣＰＵは、ＲＯＭに記憶されたプログラムに従って各種制御を行う。
【００２２】
図３はＬＡＮ電話端末１１１−ｉのブロック図であり、３０１はＣＰＵ、ＲＯＭ、ＲＡＭ等から構成され各種制御を司る主制御装置であり、主制御部３０１のＣＰＵは、ＲＯＭに記憶されたプログラムに従って各種制御を行う。３０２はハードディスク等の固定記憶装置、３０３はＣＲＴディスプレイ等の表示部、３０４はＩＥＥＥ８０２．３等に準拠したＬＡＮ制御部、３０５はキーボード、マウス等のキー入力部、３０６はハンドセット等マイク、スピーカが接続され、ＣＯＤＥＣ等によりアナログ情報をディジタル情報へ変換し音声データの入出力を行なう音声入出力部である。
【００２３】
図４はＩｎｔｅｒｎｅｔ接続装置１１２のブロック図であり、４０１はＣＰＵ、ＲＯＭ、ＲＡＭ等から構成され、ＣＰＵがＲＯＭに記憶されたプログラムに従って各種制御を行う主制御部、４０２はハードディスク等の固定記憶装置、４０４はＩＥＥＥ８０２．３等に準拠したＬＡＮ制御部、４０３は専用線の接続インタフェース、データ伝送インタフェースを備える専用線制御部である。
【００２４】
図５はＰＳＴＮ−ＬＡＮ電話接続装置１１３のブロック図であり、５０１はＣＰＵ、ＲＯＭ、ＲＡＭ等から構成され、ＣＰＵがＲＯＭに記憶されたプログラムに従って各種制御を行う主制御部、５０２はハードディスク等の固定記憶装置、５０４はＩＥＥＥ８０２．３に準拠したＬＡＮ制御部、５０３はＰＳＴＮ１０３に対する接続制御を行なうとともにＣＯＤＥＣを備えＰＳＴＮからのアナログ情報をディジタル情報へ変換することが可能なＰＳＴＮ制御部である。
【００２５】
図７はＬＡＮ電話システム１１４の制御データの構造図である。７０１はＬＡＮ電話端末１１１−ｉの制御データ構造、７０２は音声通話を行なうデータの流れである通話データフローのデータ構造図、７０３はＬＡＮ電話サーバ１１０の制御データ構造、７０４はＰＳＴＮ−ＬＡＮ電話接続装置１１３の制御データ構造である。
【００２６】
７０１のＬＡＮ電話端末１１１−ｉにおける制御属性データ７１２は自分自身を識別する端末ＩＤ、管理対象であるサーバを識別するサーバＩＤ、設定した発信先ＩＤに対応して生成された通話データフローを識別するフローＩＤリストからなり、制御処理７１３は発信先ＩＤの設定処理、通信品質要求を規定するＱｏＳの設定処理、フローＩＤリストから発信或いはＱｏＳ設定を行なう対象となるフローを選択するフロー選択処理、発信処理、切断処理からなる。
【００２７】
７０２の通話データフローの持つ制御属性データ７２２は自分自身を識別するフローＩＤ、通話データの源となる端末を識別する端末ＩＤ、通話データの到着先を識別する発信先ＩＤ、中継を行なう接続装置ＩＤ、通信品質要求を規定するＱｏＳリストからなり、制御処理７２３は発信先ＩＤの参照処理、接続装置ＩＤの設定／参照処理、ＱｏＳリストの設定／参照処理からなる。
【００２８】
７０３のＬＡＮ電話サーバ１１０の持つ制御属性データ７３２は自分自身を識別するサーバＩＤ、自分が管理する接続装置のＩＤリスト、自分が管理する端末のＩＤリストからなり、制御処理７３３は要求されるＱｏＳを満足させる接続装置を検索する接続装置検索処理からなる。
【００２９】
７０４のＰＳＴＮ電話接続装置の制御属性データ７４２は自分自身を識別する接続装置ＩＤ、収容する回線が使用中で有るか否か等の情報を保持するＰＳＴＮ接続状態、自分自身が保証する通信品質を規定する保証ＱｏＳからなり、制御処理７４３は自分自身が接続する網へ要求されたＱｏＳを満足するリソースの確保を要求するリソース確保処理、確保したリソースを解放するリソース開放処理、接続制御を行なう接続処理、保証ＱｏＳを参照する保証ＱｏＳ参照処理からなる。
【００３０】
図８の８０１は図７の電話データフローの制御データ７２２に保存されるＱｏＳリストのブロック図であり、複数のＱｏＳ（８１２−１．．．８１２−Ｎ）とその数を示すＬｅｎｇｔｈ８１１から構成される。任意のＱｏＳ８１２−ｉは平均ビットレート８２１、最高ビットレート８２２、平均遅延時間８２３、最大遅延時間８２４、パケット損失率８２５から構成される。接続装置データ構造７０４の制御データ属性７４２の保証ＱｏＳもこのＱｏＳ８１２−ｉと同様の構成を採る。
【００３１】
次に図９、図１０に示すシーケンス図を用いてＬＡＮ電話システム１１４内の任意のＬＡＮ電話端末１１１−ｉからＰＳＴＮ１０３に接続された任意の一般電話端末１２０−ｉへＩｎｔｅｒｎｅｔ接続装置１１２、Ｉｎｔｅｒｎｅｔ１０１、Ｉｎｔｅｒｎｅｔサービスプロバイダ１０２のＰＳＴＮ−ＬＡＮ電話接続装置１１３−２を介してＰＳＴＮ１０３発信し通話を行なう動作について説明する。
【００３２】
ＬＡＮ電話端末１１１−ｉに於いて発信先ＩＤ設定を行い、その発信先をフロー選択処理により選択をし発信操作を行なうことによりＬＡＮ電話端末１１１−ｉは対象となる通話データフロー７０２のＱｏＳリスト参照処理により第一優先に指定されたＱｏＳ、図８の各ＱｏＳが優先順位の高い順に並んでいるとするとＱｏＳ−１を読み出し、ＬＡＮ電話サーバ１１０の接続装置検索処理を起動する（９０１）。ＬＡＮ電話サーバ１１０はＱｏＳ−１を満足することが可能なＰＳＴＮ−ＬＡＮ電話接続装置１１３を検索し、結果を接続装置ＩＤリストとしてＬＡＮ電話端末１１１−ｉへ返す（９０２）。ＬＡＮ電話端末１１１−ｉは得られた接続装置ＩＤリストより任意に接続装置ＩＤを選択し、選択したＰＳＴＮ−ＬＡＮ電話接続装置１１３−２に対してリソース確保処理を行なう。リソース確保処理に伴うリソース確保メッセージは途中経路のＩｎｔｅｒｎｅｔ接続装置１１２、Ｉｎｔｅｒｎｅｔ１０１の各々でリソース確保の確認を行ないながらＰＳＴＮ−ＬＡＮ電話接続装置１１３−２へ到達する（９０２−９０５）。ＰＳＴＮ−ＬＡＮ電話接続装置１１３−２はＰＳＴＮ１０３へ発信信号９０６を送出し、発信音９０７の確認によりリソース確保が許可された旨の応答９０８を返す。この応答は再び途中経路であるＩｎｔｅｒｎｅｔ１０１、Ｉｎｔｅｒｎｅｔ接続装置１１２を経てＬＡＮ電話端末１１１−ｉへ到着する（９０８−９１０）。ＬＡＮ電話端末１１１−ｉはリソース確保の許可を受けると、引き続きＰＳＴＮ−ＬＡＮ電話接続装置１１３−２に対して発信先ＩＤへの接続処理を受けると、引き続きＰＳＴＮ−ＬＡＮ電話接続装置１１３−２に対して発信先ＩＤへの接続処理を行なう（９１１）。ＰＳＴＮ−ＬＡＮ電話接続装置１１３−２は接続処理の起動を受けると発信先ＩＤで指定されたダイヤル情報によりＰＳＴＮ１０３へダイヤル信号９１２を送出する。ＰＳＴＮ１０３はダイヤル信号９１２を受けることによりダイヤル信号で指定された一般電話端末１２０−ｉに着信信号９１３を送出しＰＳＴＮ−ＬＡＮ電話接続装置１１３−２へ呼出音９１４を送出する。ＰＳＴＮ−ＬＡＮ電話接続装置１１３−２はアナログ信号である呼出音９１４をＴＣＰ／ＩＰ上の音声データ９１５に変換しＬＡＮ電話端末１１１−ｉに送出する。ＬＡＮ電話端末１１１−ｉはＴＣＰ／ＩＰ上の音声データである呼出音９１５を受けるとアナログ信号へ再び変換しスピーカ等音声出力部より出力する。ここで、着信のあった一般電話端末１２０−ｉの利用者が応答（オフフック）を行なうと、ＰＳＴＮ１０３へ応答信号９１６が送出され、それを受けてＰＳＴＮ１０３から送出された応答信号９１７をＰＳＴＮ−ＬＡＮ電話接続装置１１３−２が検出した後、応答９１８をＬＡＮ電話端末１１１−ｉへ送出する。ＬＡＮ電話端末１１１−ｉは応答９１８を受け通話９１９が確立する。
【００３３】
通話が終了し一般電話端末１２０−ｉがオフフックを行なうとＰＳＴＮ１０３が開放９２０され、それに基づきＰＳＴＮ１０３より送出されるビジートーン９２１はＰＳＴＮ−ＬＡＮ電話接続装置１１３−２によりＴＣＰ／ＩＰ上でのビジートーン９２２へ変換されＬＡＮ電話端末１１１−ｉへ送出される。ＬＡＮ電話端末１１１−ｉにおける切断操作によりＰＳＴＮ−ＬＡＮ電話接続装置１１３−２に対してリソース開放処理が起動され、リソース開放処理は途中経路であるＩｎｔｅｒｎｅｔ接続装置１１２、Ｉｎｔｅｒｎｅｔ１０１においてリソース開放処理を行ないながらＰＳＴＮ−ＬＡＮ電話接続装置１１３−２へ到達し（９２３−９２５）、ＰＳＴＮ１０３を開放９２６した後、確認９２７を返信し通話に関する処理を終了する。
【００３４】
次に図１１、図１２のシーケンス図を用いて要求するＱｏＳを第一優先から次の優先へ変更し通話を行なう場合の動作について説明する。
【００３５】
図９、図１０の場合と同様、ＬＡＮ電話端末１１１−ｉにおいて発信先ＩＤ設定、発信操作を行なうことによりＬＡＮ電話サーバ１１０に対してＱｏＳ−１の条件の下での接続装置検索処理１１０１が起動され、接続装置ＩＤリスト１１０２を得る。接続装置ＩＤリストでは図９、図１０の場合と同様にＩｎｔｅｒｎｅｔ１０１を介して接続されたＰＳＴＮ−ＬＡＮ接続装置１１３−２のみが選択されていたとすると、Ｉｎｔｅｒｎｅｔ接続装置１１２、Ｉｎｔｅｒｎｅｔ１０１へ順次リソース確保処理が行なわれる（１１０３、１１０４）。ここで、Ｉｎｔｅｒｎｅｔ１０１内において要求された通信品質ＱｏＳ−１が満足できるほどのリソースの確保が困難であった場合、Ｉｎｔｅｒｎｅｔ１０１は拒否１１０５を返す。拒否１１０５はＩｎｔｅｒｎｅｔ接続装置１１２を経て拒否１１０６としてＬＡＮ電話端末１１１−ｉへ到達する。ＬＡＮ電話端末１１１−ｉは拒否１１０６を受けると通信データフロー７０２のＱｏＳリストを参照し次優先のＱｏＳ−２を読み出す。そしてＱｏＳ−１の場合と同様な手順によりＱｏＳ−２の下で接続装置検索処理１１０７を行い接続装置ＩＤリスト１１０８を得、ＱｏＳ−２を満足するとして選択されたＰＳＴＮ−ＬＡＮ接続装置１１３−１に対してリソース確保操作１１０９を行なう。ＰＳＴＮ−ＬＡＮ接続装置１１３−１はＰＳＴＮ１０３に対して発信信号１１１０を送出し、発信音１１１１を確保した後、ＬＡＮ電話端末１１１−ｉに対して許可１１１２を送出する。以下通話１１２１に至るまでは図９、図１０の９１１−９１９と同様の手順により処理される。通話１１２１の終了時、ＬＡＮ電話端末１１１−ｉに於いて先に切断操作を行なった場合は、ＰＳＴＮ−ＬＡＮ電話接続装置１１３−１に対してリソース開放処理１１２２が行われ、ＰＳＴＮ１０３のリソースが開放され（１１２３）、確認１１２５が返信される。また、ＰＳＴＮ１０３の開放１１２３により、通話を行なっていた一般電話端末１２０−ｉにはビジートーン１１２４が送出され、オンフックにより開放される。（１１２６）。
【００３６】
次に図１３〜図１９に示すフロー図を用いて、ＬＡＮ電話端末１１１−ｉの動作について説明する。
【００３７】
図１３に示すＬＡＮ電話端末１１１−ｉの処理では、発信先ＩＤ設定操作の検出（Ｓ１３０１；Ｙｅｓ）により発信先ＩＤ設定処理（図１４）（Ｓ１３１１）へ、ＱｏＳ設定操作の検出（Ｓ１３０２；Ｙｅｓ）によりＱｏＳ設定処理（図１５）（Ｓ１３２１）へ、発信操作の検出（Ｓ１３０３；Ｙｅｓ）により発信処理（図１６）（Ｓ１３３１）へ移行する。また、フロー選択操作が検出（Ｓ１３０４；Ｙｅｓ）された場合、通話データフローの選択（Ｓ１３４１）を行いＬＡＮ電話端末処理へ戻る（Ｓ１３０５）。何れも検出されない場合（Ｓ１３０１〜Ｓ１３０４；Ｎｏ）はＬＡＮ電話端末処理を繰り返す（Ｓ１３０５）。
【００３８】
図１４に示す発信先ＩＤ設定処理では、発信先ＤＩ設定操作時に渡された発信先ＩＤが発信先ＩＤとして不正でないか否かをチェックし、不正でない場合（Ｓ１４０１；Ｎｏ）、通話データフロー７０２を生成し（Ｓ１４０２）、ＬＡＮ電話端末処理（図１３）へ戻る（Ｓ１４０３）。発信先ＩＤが不正であった場合（Ｓ１４０１；Ｙｅｓ）、ＩＤ設定値エラーの表示を行い（Ｓ１４１１）、ＬＡＮ電話端末処理（図１３）へ戻る（Ｓ１４１２）。
【００３９】
図１５に示すＱｏＳ設定処理では、ＱｏＳ設定操作時に通話データフローが選択されているか否かをチェックし、選択されていない場合（Ｓ１５０１；Ｎｏ）、通話データフローの選択を行い（Ｓ１５１１）、ＱｏＳ設定処理へ戻る（Ｓ１５１２）。通話データフローが選択されると（Ｓ１５０１；Ｙｅｓ）、選択された通話データフローのＱｏＳリストを参照・表示し（Ｓ１５０２）、キー入力部３０５からのＱｏＳリストの追加・変更の入力を取得する（Ｓ１５０３）。次に入力データが不正でないか否かチェックを行ない（Ｓ１５０４）、不正である場合（Ｓ１５０４；Ｙｅｓ）、入力エラー表示を行ない（Ｓ１５４１）、追加・変更の入力取得処理（Ｓ１５０３）へと戻り、不正でない場合（Ｓ１５０４；Ｎｏ）、通話データフローに対してＱｏＳ変更操作を行ない（Ｓ１５０５）、ＬＡＮ電話端末処理（図１３）へと戻る（Ｓ１５０６）。
【００４０】
図１６に示す発信処理では、まず、発信操作時に通話データフローが選択されていたか否かをチェックする（Ｓ１６０１）。選択されていなかった場合（Ｓ１６０１；Ｎｏ）、通話データフローの選択を行い（Ｓ１６１１）、発信処理へ戻る（Ｓ１６１９）。通話データフローが選択されている場合（Ｓ１６０１；Ｙｅｓ）、その通話データフローのＱｏＳリストを参照し第一優先のＱＯＳを読み出す（Ｓ１６０２）。ＱｏＳの読み出しが可能であったならば（Ｓ１６０３；Ｎｏ）、ＬＡＮ電話サーバ１１０に対してそのＱｏＳを満足可能な接続装置を検索してもらうための操作を行い、該当する接続装置ＩＤのリストをＬＡＮ電話サーバ１１０から得る（Ｓ１６０４）。ＬＡＮ電話サーバ１１０から取得した接続装置ＩＤリストが空の場合（Ｓ１６０５；Ｙｅｓ）、発信処理エラー表示を行ない（Ｓ１６５１）、ＬＡＮ電話端末処理（図１３）へ戻る（Ｓ１６５９）。接続装置ＩＤリストが空でない場合（Ｓ１６０５；Ｎｏ）、接続装置ＩＤを一つ（例えばランダムに）選択し、接続装置ＩＤリストからは削除する（Ｓ１６０６）。接続装置ＩＤが得られる（Ｓ１６０７；Ｎｏ）と該当する接続装置に対して、選択しているＱｏＳを満足可能するリソース確保操作を起動する（Ｓ１６０８）。リソース確保が許可された場合（Ｓ１６０９；Ｙｅｓ）、通話データフローから得られる発信先ＩＤへの接続操作を起動し（Ｓ１６１０）、呼出中処理（図１７）へと移行する（Ｓ１６９０）。また、リソース確保が拒否された場合（Ｓ１６０９；Ｎｏ）、接続装置ＩＤリストより別の接続装置ＩＤを再び選択する（Ｓ１６０６）。ここで、接続装置ＩＤが得られない（Ｓ１６０７；Ｙｅｓ）すなわち接続装置ＩＤリストの全てに対してリソースの確保処理が拒否された場合、ＱｏＳリストより次優先のＱｏＳを読み出し（Ｓ１６７１）、再び接続装置検索操作を起動する（Ｓ１６０４）。ここで、次優先のＱｏＳが存在しない場合（Ｓ１６０３；Ｙｅｓ）、発信処理エラー表示を行い（Ｓ１６３１）、ＬＡＮ電話端末処理（図１３）へと戻る（Ｓ１６３９）。
【００４１】
図１７に示す呼出中処理では、切断操作を検出（Ｓ１７０１；Ｙｅｓ）すると切断処理（図１９）へと移行（Ｓ１７１１）し、応答受信（Ｓ１７０２；Ｙｅｓ）を行なうと接続中処理（図１８）（Ｓ１７２１）へと移行する。何れも行われない場合（Ｓ１７０１，Ｓ１７０２；Ｎｏ）、呼出中処理を繰り返す（Ｓ１７０３）。
【００４２】
図１８に示す接続中処理では、切断操作を検出（Ｓ１８０１；Ｙｅｓ）すると切断処理（図１９）へ移行し（Ｓ１８１１）、そうでない場合（Ｓ１８０１；Ｎｏ）、接続中処理を繰り返す（Ｓ１８０２）。
【００４３】
図１９に示す切断処理では、接続中の接続装置に対してリソース開放操作（Ｓ１９０１）を行い、確認を受信して（Ｓ１９０３；Ｙｅｓ）、ＬＡＮ電話端末処理（図１３）へ戻る（Ｓ１９０４）。確認が受信されない場合（Ｓ１９０３；Ｎｏ）、切断処理エラー表示を行ない（Ｓ１９３１）、ＬＡＮ電話端末処理（図１３）へ戻る（Ｓ１９０４）。
【００４４】
次に図２０、図２１のフロー図を用いてＬＡＮ電話サーバ１１０の動作について説明する。
【００４５】
図２０に示すＬＡＮ電話サーバ処理では、接続装置検索操作を検出すると（Ｓ２００１；Ｙｅｓ）、接続装置検索処理（図２１）へと移行し（Ｓ２０１１）、そうでない場合（Ｓ２００１；Ｎｏ）、ＬＡＮ電話サーバ処理を繰り返す（Ｓ２００２）。
【００４６】
図２１に示す接続装置検索処理では、まず検索結果となる検索接続装置ＩＤリストを初期化し（Ｓ２１０１）、自己が管理する接続装置ＩＤリストより接続装置ＩＤを取得する（Ｓ２１０２）。接続装置ＩＤを取得すると（Ｓ２１０３；Ｎｏ）、該当する接続装置の保証ＱｏＳを参照し（Ｓ２１０４）、その保証ＱｏＳが処理起動時にＬＡＮ電話端末１１１から指定されたＱｏＳを満足する場合（Ｓ２１０５；Ｙｅｓ）すなわちＱｏＳ８０２に示す平均ビットレート８２１、最高ビットレート８２２の保証値がＬＡＮ電話端末１１１からの要求値を上回り、平均遅延時間８２３、最大遅延時間８２４、パケット損失率８２５の保証値がＬＡＮ電話端末１１１からの要求値を下回った場合、検索結果となる接続装置ＩＤリストへ追加する（Ｓ２１５１）。また、要求を満足しない場合（Ｓ２１０５；Ｎｏ）、次の接続装置ＩＤを取得する（Ｓ２１０２）。取得可能な接続装置ＩＤが無くなった場合（Ｓ２１０３；Ｙｅｓ）、接続装置検索を要求したＬＡＮ電話端末１１１に検索接続装置ＩＤリストを通知し（Ｓ２１３１）、ＬＡＮ電話サーバ処理（図２０）へと戻る（Ｓ２１３９）。
【００４７】
次に図２２〜２５のフロー図を用いてＰＳＴＮ−ＬＡＮ電話接続装置１１３の動作について説明する。
【００４８】
図２２に示すＰＳＴＮ−ＬＡＮ電話接続装置処理では、ＬＡＮ電話端末１１１からのリソース確保操作を検出（Ｓ２２０１；Ｙｅｓ）した場合ＰＳＴＮリソース確保処理（図２３）へ（Ｓ２２１９）、接続操作を検出（Ｓ２２０２；Ｙｅｓ）した場合、ＰＳＴＮ接続処理（図２４）へ（Ｓ２２２９）、リソース開放操作を検出（Ｓ２２０３；Ｙｅｓ）した場合、ＰＳＴＮリソース開放処理（図２５）（２２３９）へ移行し、さもなければ（Ｓ２２０１〜Ｓ２２０３；Ｎｏ）ＰＳＴＮ−ＬＡＮ電話接続装置処理を繰り返す（Ｓ２２０９）。
【００４９】
図２３に示すＰＳＴＮリソース確保処理では、まず前述した収容する回線が使用中であるか否か等の情報を保持する図７の７４２のＰＳＴＮ接続状態より空き状態の外線を選択し（Ｓ２３０１）、空外線が得られた場合（Ｓ２３０２；Ｎｏ）、その外線に対して発信信号を送出する（Ｓ２３０３）。発信信号に対して網から得られる発信音を検出できたなら（Ｓ２３０４；Ｙｅｓ）、ＬＡＮ電話端末１１１へ許可を返信し（Ｓ２３０５）、ＰＳＴＮ−ＬＡＮ電話接続装置処理（図２２）へ戻る（Ｓ２３０９）。また、発信音を検出できない場合（Ｓ２３０４；Ｎｏ）は再び別の空外線を選択し（Ｓ２３０１）同様の処理を行う。また、選択する空外線が無くなった場合（Ｓ２３０２；Ｙｅｓ）、ＬＡＮ電話端末１１１へ拒否を返信し（Ｓ２３２１）、ＰＳＴＮ−ＬＡＮ電話接続装置処理（図２２）へ戻る（Ｓ２３２９）。
【００５０】
図２４に示すＰＳＴＮ接続処理では、まずリソースが確保されているか否か、すなわち外線が捕捉され発信状態となっているか否かをチェックする（Ｓ２４０１）。リソースが確保されていない場合（Ｓ２４０１；Ｎｏ）、ＰＳＴＮ−ＬＡＮ電話接続装置処理（図２２）へ戻る（Ｓ２４１９）。また、リソースが確保されている場合（Ｓ２４０１；Ｙｅｓ）、処理起動時にＬＡＮ電話端末１１１から得られる発信先ＩＤに基づいたダイヤル信号を送出し（Ｓ２４０２）、相手電話端末からの応答信号を待つ（Ｓ２４０３；Ｎｏ）。応答信号が受信された場合（Ｓ２４０３；Ｙｅｓ）は、ＬＡＮ電話端末１１１へ応答を返信し（Ｓ２４０４）、ＰＳＴＮ−ＬＡＮ電話接続装置処理（図２２）へと戻る（Ｓ２４０９）。尚、図示しないが応答信号が受信されるまでの待ち状態に於いてリソース開放処理が起動された場合は後述する図２５に示すＰＳＴＮリソース開放処理へと移行する。
【００５１】
図２５に示すＰＳＴＮリソース開放処理では、まず図２４のＰＳＴＮ接続処理と同様にリソースが確保されているか否かチェックし（Ｓ２５０１）、リソースが確保されていない場合（Ｓ２５０１；Ｎｏ）、ＰＳＴＮ−ＬＡＮ電話接続装置処理（図２２）へと戻る（Ｓ２５１９）。また、リソースが確保されている場合（Ｓ２５０１；Ｙｅｓ）、網（ＰＳＴＮ１０３）を開放し（Ｓ２５０２）、ＬＡＮ電話端末１１１へ確認を返信し（Ｓ２５０３）、ＰＳＴＮ−ＬＡＮ電話接続装置処理（図２２）へと戻る（Ｓ２５０９）。
【００５２】
以上のように本実施例によれば、通信に要求される平均ビットレート、最高ビットレート、平均遅延時間、最大遅延時間、パケット損失率等の通信質品を網の状態に応じて柔軟に選択できる。
【００５３】
また、通信質品の選択は、自動的に行なわれるので、ユーザは意識することなく、最適な通信品質で通信することができる。
【００５４】
また、通信質品はユーザが優先順位をつけて複数設定できる。
【００５５】
特に、ＬＡＮ、Ｉｎｔｅｒｎｅｔ、ＰＳＴＮなど、異なる通信方式の網を介して通信を行う際に、最適な通信質品を選択することができる。
【００５６】
（実施例２）
次に、第１の実施例の図８のＱｏＳリスト８０１を図２６のＱｏＳリスト８０３へ変更し、図６のようにコスト算出テーブル６００を加えた第２の実施例について説明する。
【００５７】
図６に示すコスト算出テーブル６００はＬＡＮ電話サーバ１１０が参照可能であり、ＬＡＮ電話サーバ１１０が管理するＰＳＴＮ−ＬＡＮ電話接続装置１１３−１〜Ｎと発信先ＩＤエリア（この場合市外局番）との単位通話料金が表形式で保存されている。
【００５８】
図２６のＱｏＳリスト８０３は、図８のＱｏＳリスト８０１に、そのＱｏＳを得るために許容されるコスト上限８４１が付加されたものである。
【００５９】
次に動作について説明する。基本的な動作は第１の実施例と同様であり、ＬＡＮ電話サーバ１１０の接続装置検索処理（図２１）における要求ＱｏＳを満足するか否かの判断（Ｓ２１０５）を上記コスト算出テーブル６００、ＱｏＳリスト８０３を用いるよう変更する。すなわち、要求満足判断の処理（Ｓ２１０５）に於いて、コスト算出テーブル６００から所望の単位料金を読み出し、その値がコスト上限８４１以下であるか否かと第１の実施例に示す判断結果との両者を満足する場合に要求されるＱｏＳを満足すると判断する。
【００６０】
本実施例によれば、通信品質の要素として、通信コストも考慮した最適な通信品質を選択することができる。
【００６１】
【発明の効果】
以上のように本発明によれば、ユーザが通信品質の優先度を予め設定でき、この優先度に基づいて通信品質を選択できるので、ユーザの意図にあった品質の通信が可能となる。また、通信装置はユーザが予め設定した優先度に基づく通信品質の通信を行うための接続装置をリストとして管理装置から受取り、該リストの各接続装置に通信資源の確保を要求でき、さらに、リスト内の全接続装置から通信資源の確保が拒否されても、ユーザが設定した次の優先度の通信品質の通信を行うための接続装置を管理装置から再度受け取り、該リストの各接続装置に通信資源の確保を要求できるので、網の状態に応じた接続装置に通信資源を確保させることができる。
【図面の簡単な説明】
【図１】本発明の第１の実施例に係る通信システムのブロック図
【図２】本発明の実施例に係るＬＡＮ電話サーバのブロック図
【図３】本発明の実施例に係るＬＡＮ電話端末のブロック図
【図４】本発明の実施例に係るＩｔｅｒｎｅｔ接続装置のブロック図
【図５】本発明の実施例に係るＰＳＴＮ−ＬＡＮ電話接続装置のブロック図
【図６】本発明の第２の実施例に係るコスト算出テーブル
【図７】本発明の実施例に係るシステム制御データの構造図
【図８】本発明の第１の実施例に係る通信品質データの構造図
【図９】本発明の実施例にかかる通信システムの第一優先接続時のシーケンス図
【図１０】本発明の実施例にかかる通信システムの第一優先接続時のシーケンス図
【図１１】本発明の実施例にかかる通信システムの第二優先接続時のシーケンス図
【図１２】本発明の実施例にかかる通信システムの第二優先接続時のシーケンス図
【図１３】本発明の実施例にかかるＬＡＮ電話端末処理のフロー図
【図１４】本発明の実施例にかかる発信先ＩＤ設定処理のフロー図
【図１５】本発明の実施例にかかるＱｏＳ設定処理のフロー図
【図１６】本発明の実施例にかかる発信処理のフロー図
【図１７】本発明の実施例にかかる呼出中処理のフロー図
【図１８】本発明の実施例にかかる接続中処理のフロー図
【図１９】本発明の実施例にかかる切断処理のフロー図
【図２０】本発明の実施例にかかるＬＡＮ電話サーバ処理のフロー図
【図２１】本発明の実施例にかかる接続装置検索処理のフロー図
【図２２】本発明の実施例にかかるＰＳＴＮ−ＬＡＮ電話接続装置処理のフロー図
【図２３】本発明の実施例にかかるＰＳＴＮリソース確保処理のフロー図
【図２４】本発明の実施例にかかるＰＳＴＮ接続処理のフロー図
【図２５】本発明の実施例にかかるＰＳＴＮリソース開放処理のフロー図
【図２６】本発明の第２の実施例に係る通信品質データの構造図
【符号の説明】
１０１  Ｉｎｔｅｒｎｅｔ
１０２  Ｉｎｔｅｒｎｅｔサービスプロバイダ
１０３  ＰＳＴＮ
１１０  ＬＡＮ電話サーバ
１１１  ＬＡＮ電話端末
１１２  Ｉｎｔｅｒｎｅｔ接続装置
１１３  ＰＳＴＮ−ＬＡＮ電話接続装置
１２０  一般電話端末
【図１】
0004266403.tif 000002
【図２】
0004266403.tif 000003
【図３】
0004266403.tif 000004
【図４】
0004266403.tif 000005
【図５】
0004266403.tif 000006
【図６】
0004266403.tif 000007
【図７】
0004266403.tif 000008
【図８】
0004266403.tif 000009
【図９】
0004266403.tif 000010
【図１０】
0004266403.tif 000011
【図１１】
0004266403.tif 000012
【図１２】
0004266403.tif 000013
【図１３】
0004266403.tif 000014
【図１４】
0004266403.tif 000015
【図１５】
0004266403.tif 000016
【図１６】
0004266403.tif 000017
【図１７】
0004266403.tif 000018
【図１８】
0004266403.tif 000019
【図１９】
0004266403.tif 000020
【図２０】
0004266403.tif 000021
【図２１】
0004266403.tif 000022
【図２２】
0004266403.tif 000023
【図２３】
0004266403.tif 000024
【図２４】
0004266403.tif 000025
【図２５】
0004266403.tif 000026
【図２６】
0004266403.tif 000027